(57)【要約】【課題】容器の側面にストロー挿し込み穴の位置を逆Ｔ字形印で表示し、容器の側面に逆Ｔ字形に切開した穴にＶ字形のストローを挿し込み、上下移動して水遣りと液肥の滴下時間を調節可能とする。【解決手段】キャップ７で密栓をした容器１の底部より訳センチメートル程度の高さに穴の位置を示す逆Ｔ字状の印２を表示し、逆Ｔ字状の印のカット位置に切り込みを入れて割れ目に挿し込むストローの中央部で蛇腹状凹凸をＶ字形折り曲げて、ストローの高さを調節して滴下時間を調整することができるようにした水やり兼用施肥用容器。Ｖ字状に折り曲げて前記の割れ目に挿し込むストロー３を容器側面のホルダーに備えるようにした。【選択図】図１
0003117481.tif 000002
【実用新案登録請求の範囲】
【請求項１】
密栓した容器の底部より約５センチメートルの上部の側面又は底面にストローの挿し込み穴カット位置を示す逆Ｔ字形の印を表示し、若しくは逆Ｔ字形の印の表示を貼付し、綿紐を中芯に有するストローの中央部の周囲にＶ字形に折り曲げ用の蛇腹状凹凸を設けてなるストローを容器外周面に取り外しできることを特徴とする水やり兼用施肥用容器。
【請求項２】
密栓した容器の底部より約５センチメートルの上部の側面又は底面にストローの挿し込み用切り目のカット位置を表示した逆Ｔ字形印をカッターナイフで切開してその切り目にストローをＶ字形に折り曲げて挿し込むことができるようにしたことを特徴とする請求項１に記載の水やり兼用施肥用容器。
【請求項３】
密栓した容器の底部より約５センチメートルの上部の側面又は底面にストローの挿し込み用切り目のカット位置を表示した逆Ｔ字形印をカッターナイフで切開してその切り目にストローをＶ字形に折り曲げて挿し込む使用方法の説明を容器に表示をすることを特徴とする請求項１又は２に記載の水やり兼用施肥用容器。
【請求項４】
密栓することができるキャップを有するペットボトルであることを特徴とする請求項１ないし３のいずれかに記載の水やり兼用施肥用容器。
【請求項５】
密栓することができるキャップの中にストローの挿し込み穴カット位置を示す印を表示した中蓋１１を有するペットボトルであることを特徴とする請求項１ないし３のいずれかに記載の水やり兼用施肥用容器。
【考案の詳細な説明】
【技術分野】
【０００１】
本考案は、植物に水遣りと液体肥料の滴下間隔の調整が容易な水やり兼用施肥用容器に関するものである。
【背景技術】
【０００２】
特許文献１（特開２０００−２８７５６４号公報）は、容器本体の首部から容器本体の中央部の間に、小穴を開けることを特徴としており、小穴は空気の流入口になり、容器内に残量の水の重力がチューブの入り口にかかるために水遣りの時間を調節することができない。
又、特許文献２（登録実用新案第３００００９２号公報）に示された自動水遣り器は、水槽と、水槽内の水を植木鉢に導くパイプと、このパイプに挿入する給水材とから構成している。
特許文献２に添付の図面によれば、パイプの一方を水槽の中に入れたパイプは水槽の上部より湾曲して植木鉢にパイプのもう一方の出口を垂らして、その中に吸水材を通してある。この水槽とパイプの構造では、パイプが水槽の上縁をまたいでおり水はその中を通って滴下されるために水槽の液面が下がってくるに従って吸水材の中を通る液体の重力の作用でパイプの出口から滴下する時間が遅くなる。
特許文献３（特開２００２−２５３０６９号公報）は、容器口部に取り付ける栓に貫通して設けられる容器内部に液体受給口を有する液体パイプのため、液体パイプの高さが一定で受給口から供給時間の経過により容器内液面が下がると滴下する時間が遅くなる。これは特許文献４についても同じ現象が起きる。
【０００３】
しかし、吸水開始のはじめには早く滴下してしまい、だんだんと内部液面が下がってくるにつれて、吸水材による毛細管現象が起こりにくくなるので吸水時間がだんだんと遅くなり、終にはパイプの出口より下に液面が下がると毛細管現象が起こらなくなるので吸水を止めてしまうことになるために植物の生育を乾燥から守ることができないという欠点があった。
【０００４】
一般に給水して植物の生育を乾燥から守る方法として、この欠点は大きな障害である。具体的には、長期間の留守中の植物に対してはじめには給水時間が早いと不必要な給水をしたり、長時間が経過するにしたがって給水が停止したりするなどの問題があった。
【０００５】
この改善策として、本考案は給水時間を調整可能にして数日間にわたって少しずつ給水することができるようにしようとするものである。
【特許文献１】特開２０００−２８７５６４号公報
【特許文献２】登録実用新案第３００００９２号公報
【特許文献３】特開２００２−２５３０６９号公報
【特許文献４】特開平１０−１９１８１５号公報
【考案の開示】
【考案が解決しようとする課題】
【０００６】
解決しようとする問題点は、植物への水遣りと液肥のいずれかを容器から滴下により供給する装置において、遣り過ぎによる根腐りの障害や不足により乾燥障害、肥料過多となる滴下時間を調整することができない点である。
【課題を解決するための手段】
【０００７】
本考案の最も主要な特徴は、植物への水遣りと液肥の供給をほぼ一定した間隔で滴下するようにストローの挿し込み位置を容器の底部より約５センチメートルの上部の側面又は底面に逆Ｔ字形印で表示をして、逆T字形の印をカッターナイフで切開して切れ目を作って、ストローの中央部に設けた蛇腹部分をＶ字形に折り曲げて前記の切れ目に挿し入れ、ストローの上下の高さ調節を可能にしてストローの中に通した芯（綿紐）により毛細管現象で容器内溶液を吸収して容器の外部へ滴下する間隔を調整することができるものである。
【考案の効果】
【０００８】
本考案の水やり兼用施肥用容器は、容器側面又は底面に表示した逆T字形の印を逆T字形にカッターで切開して切れ目を作り、そこに残った切開された切角がストローを固定するためのストッパーの機能を有し、切れ目に挿し込まれたＶ字形のストローの上下位置調整を容易にすることができる。このために溶液の中に浸された前記のストローの容器外部分の位置が高ければ溶液はゆっくり滴下し、そのストローの位置をそれより下げれば早く滴下することで溶液の滴下時間を自在に調整することができる。したがって、容器側面の逆Ｔ字形の切れ目に挿し込まれたストローの高さを移動すれば液肥の施肥量を加減して液肥の遣り過ぎを是正したり、水遣りの滴下間隔を調整して数日間にわたって水不足のために植物が乾燥するのを避けられるという利点がある。切れ目に、ストローが挿し込まれるとこれを切角で抑えるためにストッパーの機能を有し、さらに溶液による表面張力が起きるので、容器の栓を完全に密閉しておくと表面張力により内部の溶液は切れ目部分から外部に漏れ出ることができない。ストローより滴下して外部に出た内部溶液が減少した分の液面６上の空気は、ストローが挿し込まれた切れ目から少しづつ空気が容器の中に入り、容器の内部溶液はストローが届く液面まで減少する
【考案を実施するための最良の形態】
【０００９】
密栓した容器の中の液体が植物を植えた土壌に滴下する時間を調整するという目的を、容器の側面の切れ目に挿し込んだストローの位置を調節することで、容器から溶液の無駄な遺漏をさせることなく実現した。
【実施例１】
【００１０】
図１〜４は、本考案装置の１実施例を表示したものであって、図１は容器の正面図、図２は  容器側面の逆Ｔ字形印の表示をカッターナイフで切開しストローの挿し込み穴を開ける実施方法の説明図、図３はストローをＶ字形に折り曲げる実施方法の説明図、図４はＶ字形ストローを用いて滴下時間を調整する実施方法の断面図である。１は  容器、  ２は  ストロー挿し込み穴開け用逆Ｔ字形印の表示、  ３は  ストロー、  ４は  ストロー中央部の周囲に設けた蛇腹状凹凸、５は  綿紐、６は  液面、７は  密栓、８は  ストロー挿し込みホルダー、９は  カッターナイフである。
【００１１】
本考案の水やり兼用施肥用容器は、密栓することが可能な水密性のキャップ７を容器の上部に有し、容器１の底部より容器１の底部より約５センチメートルの側面にストローの挿し込み穴カット位置を示す逆Ｔ字形の印２を表示し、若しくは逆Ｔ字形の印２の表示を貼付し、綿紐５を中芯に有するストロー３の中央部の周囲にＶ字形に折り曲げ用の蛇腹状凹凸４を設けて容器外周面にストロー挿し込みホルダー８を設け取り外しできることを特徴とする。
【００１２】
図２に示すように密栓した容器１を横にして底部より約５センチメートルの上部の側面にストローの挿し込み穴カット位置を表示した逆Ｔ字形印２を上向きににしてカッターナイフ９で印２を切開した切れ目にストロー３の中央部の蛇腹状凹凸４をＶ字形に折り曲げて挿し込み、切れ目に残っている切角でそこに挿し込まれたストロー３を固定するが、ストローの位置を移動することは可能である。
【００１３】
水やり兼用施肥用容器は、キャップ７で密栓した容器１の側面にストローの挿し込み穴カット位置を表示した逆Ｔ字形印２をカッター９で切開して、その穴にストロー３をＶ字形に折り曲げて挿し込むことを説明する。水やり兼用施肥用容器の実施方法の説明文を容器に貼り付けるなどで表示することを特徴とする。
【００１４】
図１にストローを容器の側面に取り付ける方法を示したようにストロー挿し込みホルダー８を側面にもうけて、ホルダーのストローを取りはずし可能にした。ストローを取り外し可能であれば粘着テープを側面に貼ってもよい。図３に示したようにストロー３の管の中央部には蛇腹状に凹凸が設けられており、蛇腹状凹凸４によってストローをＶ字状に折り曲げて使用し、カッターナイフ９で容器の逆Ｔ字状の印を切開して切れ目にストロー３を挿し込み、開口部の切角でストローを挟み固定する。図４に示したように容器１に切れ目に挿し込まれたストロー３は、双方向矢印（図４）の双方向に高さの調整が可能であるから、ストローの管内部の綿紐５を液体が伝って毛細管現象で内部溶液が外部へ滴下する時間の調整ができる。
【実施例２】
【００１５】
本考案の水やり兼用施肥用容器は、ペットボトルに密栓することができるキャップ７の中にストローの挿し込み穴カット位置を示す印を表示した中蓋１１を容器口１０に有する。中蓋の前記印をカッターナイフで切開して中蓋に切れ目を作り、そこにストロー３を挿し込む。つり環１２をボトルの底面に接着剤で接着してこれで逆さに吊るして施肥或いは水やり用にペットボトルを使用することができる。この場合には、容器口１０に付けた中蓋１１が容器の底面となる。容器内の液面が少なくなったときにはストローの位置を下方へ移動して残液を使用できる。
【実施例３】
【００１６】
図示しないが、容器のキャップ７の底面に逆Ｔ字状に切れ目を作る位置を表示し、それをカッターナイフで切開して切れ目を作り、そこにストロー３を挿し入れるようにしても良い
【産業上の利用可能性】
【００１７】
容器に取付けたストローをＶ字形に折り曲げて用いて密栓した容器の側面に切開した切れ目に挿し込み、ストローの位置を移動して高さを調節し容器に入れた溶液を土壌に滴下させる時間を調整することによって液肥の遣り過ぎの調節や水遣りの間隔の調節も可能になる。本考案の容器は、植物に与える液肥を入れる容器として使用できるほか、中身の液肥を使い果たした容器は植物に与える水を入れれば水遣りの用途にも適用できる。
【図面の簡単な説明】
【００１８】
【図１】水やり兼用施肥用容器の実施方法を示した正面図である。（実施例１）
【図２】水やり兼用施肥用容器の逆Ｔ字形印をカッターナイフで切開する実施方法を示した説明図である。（実施例１）
【図３】水やり兼用施肥用容器のストローをＶ字形に曲げる実施方法を示した説明図である。（実施例１）
【図４】水やり兼用施肥用容器の実施により滴下時間の調整方法を示した断面図である。（実施例１）
【図５】水やり兼用施肥用容器の実施により中蓋の切れ目にストローを挿し入れて滴下する方法を示した断面図である。（実施例２）
【符号の説明】
【００１９】
１    容器
２    ストロー挿し込み穴開け用逆Ｔ字形印の表示
３    ストロー
４    ストロー中央部の周囲に設けた蛇腹状凹凸
５    綿紐
６    液面
７    キャップ
８    ストロー挿し込みホルダー
９    カッターナイフ
１０    容器口
１１    中蓋
１２    つり環
【図１】
0003117481.tif 000003
【図２】
0003117481.tif 000004
【図３】
0003117481.tif 000005
【図４】
0003117481.tif 000006
【図５】
0003117481.tif 000007